(57)【要約】本発明は、凸面及び凹面を含み、これらの面の一方又は両方が、ａ）非球体サブサーフェスである中央光学ゾーン、ｂ）前記中央光学ゾーンに隣接する、回転対称偏心球体サブサーフェスである移行ゾーン、及びｃ）すべてが互いに対して正接する一以上の球体サブサーフェスを含む周辺ゾーンを含むコンタクトレンズを提供する。本発明の移行ゾーンを有することにより、光学ゾーンと周辺ゾーンとの接合部における屈曲点をなくすことができる。本発明はまた、本発明のコンタクトレンズを製造する方法を提供する。
2005517976.tif 000002
【特許請求の範囲】
【請求項１】
凸面及び凹面を含み、これらの面の一方又は両方が、
ａ）非球体サブサーフェスである中央光学ゾーン、
ｂ）前記中央光学ゾーンに隣接する、回転対称偏心球体サブサーフェスである移行ゾーン、及び
ｃ）すべてが互いに対して正接する一以上の球体サブサーフェスを含む周辺ゾーン
を含むコンタクトレンズ。
【請求項２】
前記移行ゾーンと前記周辺ゾーンとの間にブレンドゾーンをさらに含む、請求項１記載のコンタクトレンズ。
【請求項３】
前記中央光学ゾーンが、
【数１】
2005517976.tif 000006
（式中、ｒ0は、非球体サブサーフェスの頂点における半径であり、ｋは円錐定数であり、ａ0．．．ａnは係数である）
の非球面関数形によって表わされる、請求項１記載のコンタクトレンズ。
【請求項４】
前記回転対称偏心球体面が、関数形（２）
【数２】
2005517976.tif 000007
（式中、ｙ′opz（ｘa）は、移行ゾーンと中央光学ゾーンとの接合点Ａ（ｘa、ｙa）における非球面関数形（１）の一次導関数であり、ｙ″opz（ｘa）は、接合点Ａ（ｘa、ｙa）における非球面関数形（１）の二次導関数である）
によって定義される曲率半径（ｒa）を有し、曲率半径ｒaの中心Ｃ（ｘc、ｙc）が、式（３）及び（４）
【数３】
2005517976.tif 000008
によって与えられる、請求項３記載のコンタクトレンズ。
【請求項５】
前記凸面が、前記中央光学ゾーン、前記移行ゾーン及び前記周辺ゾーンを含む、請求項４記載のコンタクトレンズ。
【請求項６】
前記凹面が、前記中央光学ゾーン、前記移行ゾーン及び前記周辺ゾーンを含む、請求項４記載のコンタクトレンズ。
【請求項７】
前記コンタクトレンズがソフトコンタクトレンズである、請求項１記載のコンタクトレンズ。
【請求項８】
前記周辺ゾーンが多重球体サブサーフェスを含み、二つの隣接する球体サブサーフェスの間にフィレットがある、請求項１記載のコンタクトレンズ。
【請求項９】
コンタクトレンズを製造する方法であって、凸面及び凹面を設ける工程を含み、
これらの面の一方又は両方が、
ａ）非球体サブサーフェスである中央光学ゾーン、
ｂ）前記中央光学ゾーンに隣接する、回転対称偏心球体サブサーフェスである移行ゾーン、及び
ｃ）すべてが互いに対して正接する一以上の球体サブサーフェスを含む周辺ゾーン
を含むものである方法。
【請求項１０】
前記中央光学ゾーンが、
【数４】
2005517976.tif 000009
（式中、ｒ0は、非球体サブサーフェスの頂点における半径であり、ｋは円錐定数であり、ａ0．．．ａnは係数である）
の非球面関数形によって表わされる、請求項９記載の方法。
【請求項１１】
前記回転対称偏心球体面が、関数形（２）
【数５】
2005517976.tif 000010
（式中、ｙ′opz（ｘa）は、移行ゾーンと中央光学ゾーンとの接合点Ａ（ｘa、ｙa）における非球面関数形（１）の一次導関数であり、ｙ″opz（ｘa）は、接合点Ａ（ｘa、ｙa）における非球面関数形（１）の二次導関数である）
によって定義される曲率半径（ｒa）を有し、曲率半径ｒaの中心Ｃ（ｘc、ｙc）が、式（３）及び（４）
【数６】
2005517976.tif 000011
によって与えられる、請求項１０記載の方法。
【請求項１２】
前記凸面が、前記中央光学ゾーン、前記移行ゾーン及び前記周辺ゾーンを含む、請求項１１記載の方法。
【請求項１３】
前記凹面が、前記中央光学ゾーン、前記移行ゾーン及び前記周辺ゾーンを含む、請求項１１記載の方法。
【請求項１４】
前記コンタクトレンズがソフトコンタクトレンズである、請求項１１記載の方法。
【請求項１５】
異なる屈折力矯正を有するコンタクトレンズを含む一連のコンタクトレンズであって、
一連のコンタクトレンズ中の各コンタクトレンズが、
ａ）非球体サブサーフェスである中央光学ゾーン、
ｂ）前記中央光学ゾーンに隣接する、回転対称偏心球体サブサーフェスである移行ゾーン、及び
ｃ）すべてが互いに対して正接する一以上の球体サブサーフェスを含む周辺ゾーン
を含む少なくとも一つの面を有する一連のコンタクトレンズ。
【請求項１６】
前記中央光学ゾーンが、
【数７】
2005517976.tif 000012
（式中、ｒ0は、非球体サブサーフェスの頂点における半径であり、ｋは円錐定数であり、ａ0．．．ａnは係数である）
の非球面関数形によって表わされ、
前記回転対称偏心球体面が、関数形（２）
【数８】
2005517976.tif 000013
（式中、ｙ′opz（ｘa）は、移行ゾーンと中央光学ゾーンとの接合点Ａ（ｘa、ｙa）における非球面関数形（１）の一次導関数であり、ｙ″opz（ｘa）は、接合点Ａ（ｘa、ｙa）における非球面関数形（１）の二次導関数である）
によって定義される曲率半径（ｒa）を有し、曲率半径ｒaの中心Ｃ（ｘc、ｙc）が、式（３）及び（４）
【数９】
2005517976.tif 000014
によって与えられる、請求項１５記載の一連のコンタクトレンズ。
【請求項１７】
前記面が凸面である、請求項１６記載の一連のコンタクトレンズ。
【請求項１８】
前記面が凹面である、請求項１６記載の一連のコンタクトレンズ。
【請求項１９】
前記凸面が、前記中央光学ゾーン、前記移行ゾーン及び前記周辺ゾーンを含む、請求項１６記載の一連のコンタクトレンズ。
【発明の詳細な説明】
【技術分野】
【０００１】
本発明はコンタクトレンズに関する。特に、本発明は、凸面（前面）及び凹面（背面）を有し、それらの面の一方又は両方で、一次導関数が中心からエッジまで連続しているコンタクトレンズに関する。
【０００２】
背景
コンタクトレンズを美容及び視力矯正のための使用することができることは周知である。理想的なコンタクトレンズとは、長期間快適に装用されるだけでなく、時間及び労働において最小限のコストで容易に製造されるものである。
【０００３】
一般に、コンタクトレンズの前面、すなわち凸面は、光学ゾーン、光学ゾーンに隣接する一以上の周辺ゾーン及びエッジを含み、周辺ゾーンは典型的な球体面である。光学ゾーンを除く他すべてのゾーンの存在は、コンタクトレンズを快適に装着する必要性、レンズが装用者の眼の上で自らを正しく配置する必要性及びレンズがレンズ装用者によって容易に扱われる必要性によって必要とされている。
【０００４】
しかし、光学ゾーンが非球面である場合、光学ゾーンに隣接する一以上の周辺ゾーンの使用は問題を生む。たとえば、周辺ゾーンは光学ゾーンとで接合部を形成し、それが接合部に屈曲点を構成するかもしれない。このような屈曲点は、装用者の眼に対して差圧を生じさせ、したがって、快適さ及び眼の健康に悪影響を及ぼすおそれがある。したがって、これらの欠点の一部又はすべてを解消し、時間及び労働において最小限のコストで容易に製造することができるコンタクトレンズが要望される。
【０００５】
発明の概要
一つの実施態様では、本発明は、凸面及び凹面を含み、これらの面の一方又は両方が、ａ）非球体サブサーフェスである中央光学ゾーン、ｂ）前記中央光学ゾーンに隣接する、回転対称偏心球体サブサーフェスである移行ゾーン、及びｃ）すべてが互いに対して正接する一以上の球体サブサーフェスを含む周辺ゾーンを含むコンタクトレンズを提供する。
【０００６】
もう一つの実施態様では、本発明は、異なる屈折力矯正を有するコンタクトレンズを含む一連のコンタクトレンズであって、一連のコンタクトレンズ中の各コンタクトレンズが、ａ）非球体サブサーフェスである中央光学ゾーン、ｂ）前記中央光学ゾーンに隣接する、回転対称偏心球体サブサーフェスである移行ゾーン、及びｃ）すべてが互いに対して正接する一以上の球体サブサーフェスを含む周辺ゾーンを含む少なくとも一つの面を有する一連のコンタクトレンズを提供する。
【０００７】
さらなる実施態様では、本発明は、コンタクトレンズを製造する方法であって、凸面及び凹面を設ける工程を含み、これらの面の一方又は両方が、ａ）非球体サブサーフェスである中央光学ゾーン、ｂ）前記中央光学ゾーンに隣接する、回転対称偏心球体サブサーフェスである移行ゾーン、及びｃ）すべてが互いに対して正接する一以上の球体サブサーフェスを含む周辺ゾーンを含むものである方法を提供する。
【０００８】
好ましい実施態様の詳細な説明
図面を参照すると、コンタクトレンズ１は、凹面（又は背面）２、エッジ４で合流する凸面（又は前面）３及び凸面３の頂点を通過する軸５を有する。凸面３は、中央光学ゾーン１１、移行ゾーン２１、ブレンドゾーン３１及び周辺ゾーン４１を含む。
【０００９】
中央光学ゾーン１１は、非球面、たとえば円錐面、多項式面などであってもよい。好ましくは、中央光学ゾーンは、以下の関数形によって表わすことができる光学非球面である。
【００１０】
【数１０】
2005517976.tif 000003
【００１１】
式中、ｒ0は、非球体サブサーフェスの頂点における半径であり、ｋは円錐定数であり、ａ0．．．ａnは係数である。正確な幾何学形状は、レンズ装用者の必要とされる処方屈折力に対応するように選択される。
【００１２】
レンズ１の凹面２の光学ゾーンは、所望の形状、たとえばトーリック面、すなわち、装用者の乱視を矯正するトーリック軸を中心に有する円柱面であってもよい。当該技術で公知であるように、前面中央ゾーンと背面中央ゾーンとが組み合わさってレンズに所定の屈折矯正を提供する。
【００１３】
移行ゾーン２１は回転対称偏心球体面である。回転対称偏心球体面の半径ｒaは、次式によって計算することができる。
【００１４】
【数１１】
2005517976.tif 000004
【００１５】
式中、ｙ′opz（ｘa）は、移行ゾーン２１と中央光学ゾーン１１との接合点５１、Ａ（ｘa、ｙa）における非球面関数形（１）の一次導関数であり、ｙ″opz（ｘa）は、接合点５１、Ａ（ｘa、ｙa）における非球面関数形（１）の二次導関数である。曲率半径ｒaの中心６、Ｃ（ｘc、ｙc）は、式（３）及び（４）によって計算することができる。
【００１６】
【数１２】
2005517976.tif 000005
【００１７】
関数形１〜４を使用することにより、形成される移行ゾーン２１は、点Ａ、５１で中央光学ゾーンに正接する。
【００１８】
周辺ゾーン４１は、球体面であることもできるし、二つの隣接する球体面の間にフィレットを有する多重球体面であることもできる。
【００１９】
回転対称偏心球体面である移行ゾーンを加えることにより、中央光学ゾーンと移行ゾーンとの接合部における屈曲点をなくすことができる。したがって、凸面のすべての面が互いに正接する、すなわち、一次導関数が凸面上で中心（頂点）からエッジまで連続することを保証することができる。
【００２０】
本発明の移行ゾーンを加えるもう一つの利点は、レンズの設計及び製造でそれを実現する簡単さである。複雑な数学的関数、たとえばスプライン関数を使用することにより、コンタクトレンズの凸面のすべてのサブサーフェスが互いに対して正接することを保証することができると理解されるべきである。しかし、複雑な数学的関数をレンズ設計に組み込むことは、製造費を増す傾向にある。
【００２１】
また、本発明の移行ゾーンは、コンタクトレンズの凹面に組み込むこともできるし、コンタクトレンズの凸面及び凹面の両方に組み込むこともできる。
【００２２】
本発明の移行ゾーンを備えた有用なコンタクトレンズは、ハードコンタクトレンズ又はソフトコンタクトレンズのいずれであってもよい。当該レンズを製造するのに適した材料でできているソフトコンタクトレンズを使用することが好ましい。本発明のレンズは、多様な矯正光学特性のいずれかが表面に組み込まれていてもよい。たとえば、レンズは、球面、非球面、二焦点、多焦点、プリズム又は円柱矯正のいずれか一以上を有することができる。これらの矯正は、凸面又は凹面のいずれか又は両方にあってもよい。たとえば、本発明のレンズは、トーリックソフトコンタクトレンズ、すなわち、装用者の乱視を矯正するための円柱光学面、すなわち屈折力を有するコンタクトレンズである。
【００２３】
今や、レンズ面の少なくとも一方に移行ゾーンを組み込むコンタクトレンズを製造することができる。本発明のコンタクトレンズは、いかなる従来手段によって製造してもよい。好ましくは、コンタクトレンズは、レンズが注型成形されるときコンタクトレンズ面を複製する成形面を含むコンタクトレンズ型から成形される。たとえば、数値制御される旋盤を有する光学切削ツールを使用して、本発明の回転対称偏心球体面を組み込む金属光学ツールを形成してもよい。そして、このツールを使用して凸面型を製造したのち、その凸面型を凹面型と併せて使用し、適切な液体レンズ形成材料を両型の間に入れ、次いでレンズ形成材料を圧縮及び硬化させることによって本発明のレンズを形成する。したがって、本発明のコンタクトレンズは、ａ）非球体サブサーフェスである中央光学ゾーン、ｂ）前記中央光学ゾーンに隣接する、回転対称偏心球体サブサーフェスである移行ゾーン、及びｃ）すべてが互いに対して正接する一以上の球体サブサーフェスを含む周辺ゾーンを含む成形面を有するコンタクトレンズ型を用意することによって製造することができる。
【００２４】
当業者には、記載した発明の詳細に対して他にも種々の変更を加えうることが理解されよう。そのような変更は、請求項に係わる発明の範囲に含まれるものである。
【図面の簡単な説明】
【００２５】
【図１】代表的なコンタクトレンズの断面を示す略図である。
【図１】
2005517976.tif 000015
【国際調査報告】
2005517976.tif 000016
2005517976.tif 000017
2005517976.tif 000018